(57)【特許請求の範囲】
【請求項１】
シャッタ開口を有する基板と、上記シャッタ開口を開閉すべくそれぞれ複数のシャッタ羽根からなる開放シャッタ羽根群及び閉鎖シャッタ羽根群と、一端を上記基板に回動自在に軸支され、上記各シャッタ羽根を回動自在に連結支持しかつ平行リンク機構を構成する複数のアームとからなるフォーカルプレーンシャッタにおいて、
特定のシャッタ羽根と当該特定のシャッタ羽根を連結支持する特定のアームとの間に進入する他のシャッタ羽根には、少なくとも上記特定のアームと上記特定のシャッタ羽根との連結部に近接しうる周縁部に、上記他のシャッタ羽根の走行障害を回避する肉薄部が形成してある
ことを特徴とするフォーカルプレーンシャッタ。
【発明の詳細な説明】
【０００１】
【発明の属する技術分野】
本発明は、フォーカルプレーンシャッタに関するものである。
【０００２】
【従来の技術】
フォーカルプレーンシャッタは、例えば特開平７−２０５３４号公報または実公平６−２６８９７号公報に開示されているように、複数のシャッタ羽根からなる２つのシャッタ羽根群の各シャッタ羽根を平行リンクを構成するアームによって支持し、この２つのシャッタ羽根群を作動させてシャッタ基板の開口部を開閉するようになっている。シャッタ羽根には羽根ピンがカシメにより固定され、アームの貫通孔の中に羽根ピンを回転可能に嵌合してシャッタ羽根をアームに回転自在に連結支持している。各シャッタ羽根がたたまれた状態では、アームとシャッタ羽根との間に介在する他のシャッタ羽根の外周部が羽根ピンに接近して位置する。
【０００３】
【発明が解決しようとする課題】
従来の構成にあっては、各シャッタ羽根群がたたまれた状態において、アームとこのアームに羽根ピンを介して連結されているシャッタ羽根との間に他のシャッタ羽根の外周部が挾まってしまうことがある。特に軽量化、高速化の要望に応えるため、薄型化、小型化が進んでいる昨今において、必然的に相互の間隔が狭くなっており、上記の挾まり現象による悪影響が顕在化することになる。すなわち、開口を閉鎖する作動初期において挾まっているシャッタ羽根は摩擦抵抗が大きくなり、挾まっていないシャッタ羽根との間に走行特性に差を生じ、露出性能が低下してしまうという問題点があった。シャッタ羽根そのものの厚さを薄くすることは強度および遮光性の観点から実施が困難である。
【０００４】
【課題を解決するための手段】
上記課題を解決するために本発明では、特定のシャッタ羽根と当該特定のシャッタ羽根を連結支持する特定のアームとの間に進入する他のシャッタ羽根の周縁部が、上記特定のアームと上記特定のシャッタ羽根との間で強く挟み込まれることがないように、上記特定のアームと上記特定のシャッタ羽根との連結部に近接しうる周縁部の部分を肉薄部に形成し、当該他の羽根がどのような位置にあっても摩擦抵抗が変動しないようにし、走行特性の安定化を図っている。
【０００５】
【発明の実施の形態】
本発明のフォーカルプレーンシャッタは、シャッタ開口を有する基板と、シャッタ開口を開閉すべくそれぞれ複数のシャッタ羽根からなる開放シャッタ羽根群及び閉鎖シャッタ羽根群と、一端を上記基板に回動自在に軸支され、各シャッタ羽根を回動自在に連結支持しかつ平行リンク機構を構成する複数のアームとを含み、特定のシャッタ羽根と当該特定のシャッタ羽根を連結支持する特定のアームとの間に進入する他のシャッタ羽根に、少なくとも当該特定のアームと当該特定のシャッタ羽根との連結部に近接しうる周縁部に、当該他のシャッタ羽根の走行障害を回避する肉薄部が形成してある
上記のように肉薄部が設けられた構成では、各シャッタ羽根が広げられるときの作動初期において羽根の走行が円滑になり、開放シャッタ羽根群と閉鎖シャッタ羽根群との走行特性に差を生じない。
【０００６】
【実施例】
実施例について図面を参照して説明すると、図１において、図示しないカメラの撮影レンズに対向して配設された基板１にはシャッタ開口１ａが形成されている。基板１には軸２、３、４が立設してあり、それぞれの軸にセットレバー５、開放レバー６、閉鎖レバー７が回動自在に軸支されている。軸３、４は基板背面側にも突出し、後述のアームを回転自在に支持する。基板１には、軸３及び軸４を中心とする円弧状の長孔１ｂおよび１ｃが形成してあり、開放レバー６及び閉鎖レバー７に突設してある駆動ピン６ａ、７ａが長孔１ｂ、１ｃを貫通して移動可能になっている。セットレバー５、開放レバー６及び閉鎖レバー７には図示しない駆動ばねが掛け止めてある。両レバー６、７はセット状態ではセットレバー５により電磁石装置８、９に吸着可能な位置に保持されており、レリーズボタンが押されたときに、電磁石装置８、９が開放レバー６及び閉鎖レバー７を吸着し、セットレバー５が駆動ばねにより時計回りに回転して退避し、電磁石装置８、９は回路基板１０に実装されている制御回路によって制御されて、開放レバー６が先に、そして少し遅れて閉鎖レバー７が、その吸着を順次開放される。吸着が開放された後は、両レバーはそれぞれの駆動ばねによって回動される。図１に示す各レバーの位置は、セットレバー５は退避した位置で、開放レバー６及び閉鎖レバー７は電磁石に吸着されている位置である。
【０００７】
基板１の背面側には、摺動板１１が配設してあるとともに開放シャッタ羽根群１２が設けてある。開放シャッタ羽根群１２は複数のシャッタ羽根１２ａ、１２ｂ…からなっており、各シャッタ羽根には軸支ピン１４が２個ずつかしめられており、この軸支ピン１４が平行リンク機構を構成する複数のアーム１３に回転自在に嵌合することにより、各シャッタ羽根はアーム１３に回動自在に連結支持されている。開放シャッタ羽根群１２の背面側には仕切板１５が配設され、仕切板１５にはシャッタ開口１５ａが形成してある。
【０００８】
仕切板１５の背面側には閉鎖シャッタ羽根群１６が設けてある。閉鎖シャッタ羽根群１６は、複数のシャッタ羽根１６ａ、１６ｂ…からなっており、各シャッタ羽根には軸支ピン１８が２個ずつかしめられており、この軸支ピン１８が平行リンク機構を構成する複数のアーム１７に回転自在に嵌合することにより、各シャッタ羽根がアーム１７に回動自在に連結支持されている。また、閉鎖シャッタ羽根群１６の背面側には摺動板１９が配設してある。受板２０にはシャッタ開口２０ａが形成してあり、基板１に設けた長孔１ｃと対向する位置に長孔２０ｃが開設してある。また、カメラ組込状態において、シャッタ開口２０ａの背面側に図示しないフィルムが位置する。
【０００９】
図２（ａ）は開放シャッタ羽根群１２のセット時の状態で、開放シャッタ羽根群１２の各シャッタ羽根１２ａ、１２ｂ…は広げられてシャッタ開口１ａ、１５ａ、２０ａを覆っている。各シャッタ羽根１２ａ、１２ｂ…を回動自在に連結支持している１つのアーム１３ａは、基板１に立設された軸３の基板背面側に突出する部分に回動自在に軸支されており、また開放レバー６の駆動ピン６ａは、長孔１ｂを貫通してアーム１３ａの連結孔１３ａ１  に連結してある。
図２（ｂ）は閉鎖シャッタ羽根群１６のセット時の状態で、閉鎖シャッタ羽根群１６の各シャッタ羽根はたたまれてシャッタ開口１ａ、１５ａ、２０ａから外れた位置に重なり状態となっている。閉鎖用の各シャッタ羽根を回動自在に連結支持している１つのアーム１７ａは、基板１に立設された軸４の基板背面側に突出する部分に回動自在に軸支されており、また閉鎖レバー７の駆動ピン７ａは、長孔１ｃを貫通してアーム１７ａの連結孔１７ａ１  に連結してあり、その先端は長孔２０ｃ内を移動可能である。
【００１０】
図３は閉鎖シャッタ羽根群１６のセット時の状態において、隣り合うシャッタ羽根１６ａと１６ｂの２枚のみを示しており、図４にその一部を拡大して示している。シャッタ羽根１６ａには軸支ピン１８ａと１８ｂがかしめられており、各軸支ピンはアーム１７ａと１７ｂの各先端部に所定の間隙をもって回転自在に嵌合している。シャッタ羽根１６ｂには軸支ピン１８ｃと１８ｄがかしめられており、各軸支ピンはアーム１７ａと１７ｂの各先端部から少し内側の位置に所定の間隙をもって回転自在に嵌合している。軸支ピン１８ａ、１８ｂ、１８ｃ、１８ｄにはつば部１８ａ１  、１８ｂ１  、１８ｃ１  、１８ｄ１  を設けてあり、アーム１７ａ、１７ｂが脱出不能になっており、シャッタ羽根１６ａ１、１６ａ２は、アーム１７ａ、１７ｂに回動自在に連結支持される。
【００１１】
図５に示すように、シャッタ羽根１６ａの外周部の一部には、後で詳述する走行障害を回避するための肉薄部１６ａ１  がプレス加工による押し潰しにより先細のテーパー状に形成してある。図５に示される透孔１６ａ２  、１６ａ３  は、軸支ピン１８ａ、１８ｂにシャッタ羽根１６ａをかしめる際に用いられる孔を示している。
【００１２】
図６は閉鎖シャッタ羽根群１６がたたまれた状態における図４の軸支ピン１８ｄを通る一部の断面を示しており、軸支ピン１８ｄにアーム１７ｂが脱出不能かつ回転自在に所定の間隙をもって嵌合しており、軸支ピン１８ｄはシャッタ羽根１６ｂにかしめられており、アーム１７ｂとシャッタ羽根１６ｂとの間にシャッタ羽根１６ａが介在している。そしてシャッタ羽根１６ａの外周部の少なくとも軸支ピン１８ｄの近傍に入り込む部分に、上記の走行障害を回避する肉薄部１６ａ１  が形成されている。アーム１７ｂとシャッタ羽根１６ｂとの間の間隙は非常に狭いものであるが、肉薄部１６ａ１  が形成されているので、狭い間隙内でもアーム１７ｂと覆い羽根１６ｂとに強く挟み込まれることはなく、したがってシャッタ羽根が広げられるときの作動初期において、挟み込みに起因する走行障害が回避され、円滑に始動できる。
【００１３】
参考までに、従来の構成での同じ位置を図７に示しているが、軸支ピンａとアームｂとシャッタ羽根ｃとは、図６の軸支ピン１８ｄとアーム１７ｂと覆い羽根１６ｂと同じであるが、この従来の例では、軸支ピンａの近傍に入り込んでいる他のシャッタ羽根ｄの外周部が肉厚一定のままであるので、狭い間隙内で強く挟み込まれた状態となってしまっている。このために先に説明したように、開口を閉鎖するためにシャッタ羽根が広げられるときの作動初期において、強く挾み込まれていることによる摩擦抵抗の増大よって始動がスムーズに行われず、閉鎖シャッタ羽根群に走行障害を生じ、強く挾まっていない開放シャッタ羽根群との間で走行特性に差を生じ、露出精度が低下してしまうことになる。これに対して本発明ではこのような不都合は回避される。
【００１４】
なお、図３乃至図５では、肉薄部１６ａ１  をシャッタ羽根１６ａに形成した例について説明しているが、その他のシャッタ羽根であっても、アームとこれに連結されているシャッタ羽根との間に介在し、軸支ピンの近くで先端が強く挟み込まれる危険のあるシャッタ羽根の場合には、肉薄部を形成しておくことが好ましい。また、閉鎖シャッタ羽根群に限られず開放シャッタ羽根群であっても、同様の状況になるシャッタ羽根に肉薄部を形成しても良い。
【００１５】
以上のように構成した本発明の動作について説明すると、セットの状態では、開放レバー６及び閉鎖レバー７は、セットレバー５により図１の位置に保持されている。このために、図１に示されるように開放レバー６は時計方向に揺動した位置にあり、開放シャッタ羽根群１２は広げられて、図２（ａ）のようにシャッタ開口１ａ、１５ａ、２０ａを覆う状態となっている。また、閉鎖レバー７も時計方向に揺動した位置にあり、閉鎖シャッタ羽根群１６はたたまれて、図２（ｂ）のようにシャッタ開口１ａ、１５ａ、２０ａの外に退避して重なった状態となっている。
【００１６】
そこでレリーズボタンが押されると、電磁石装置８、９による開放レバー６及び閉鎖レバー７の吸着保持後にセットレバー５が退避し、その後電磁石装置８が消磁され、開放レバー６がその駆動ばねのばね力によって反時計方向に移動し、これに伴って開放シャッタ羽根群１２が図２（ａ）の状態から次第にたたみ込まれるように上方へ移動してシャッタ開口１ａ、１５ａ、２０ａを開放し始める。
【００１７】
開放シャッタ羽根群１２が開放作動と並行して、電磁石装置８の消磁後所定時間経過後に電磁石装置９が消磁され、閉鎖レバー７がその駆動ばねのばね力によって反時計方向に移動する。これに伴って閉鎖シャッタ羽根群１６が図２（ｂ）の状態から次第に広げられて上方へ移動してシャッタ開口１ａ、１５ａ、２０ａを覆い始める。この時、開放シャッタ羽根群１２のスリット形成用のシャッタ羽根１２ａ（図２（ａ）図示）のスリット辺（下辺）と、閉鎖シャッタ羽根群１６のスリット形成用のシャッタ羽根１６ａ（図３図示）のスリット辺（上辺）とで露出スリットが形成され、この露出スリットがシャッタ開口１ａ、１５ａ、２０ａを下方から上方へ移動する間に、フィルムに像が写し込まれる。そして、図２とは反対に開放シャッタ羽根群１２がシャッタ開口の外に退避してたたまれた状態となり、閉鎖シャッタ羽根群１６がシャッタ開口を覆う状態となって写し込みの動作が終了する。
【００１８】
図５、６で詳しく説明したように、閉鎖シャッタ羽根群１６のスリット形成用のシャッタ羽根１６ａには走行障害を回避する肉薄部１６ａ１  が形成してあるので、アーム１７ａとシャッタ羽根１６ｂとの間の狭い間隙内でも強く挟み込まれることはなく、羽根が広げられ始める作動初期から均一な加速度で円滑に走行するので、設定された通りの露出スリットが正確にシャッタ開口を移動することになり、鮮明な像の写し込みが達成される。
【００１９】
１枚の撮影が終了してフィルムが巻き上げられると、この巻き上げ動作に連動してセットレバー５が回動し、開放レバー６と閉鎖レバー７とをその駆動ばねに抗して時計方向に回動させる。各レバー５、６、７は、シャッタ羽根群が元の図２（ａ）（ｂ）に戻った位置で保持され、次にレリーズボタンが押されるまで待機する。
【００２０】
【発明の効果】
シャッタ羽根の外周部の少なくとも一部に、走行障害を回避する肉薄部を形成してあるので、シャッタ羽根がたたまれたときに、シャッタ羽根とアームとの間に他のシャッタ羽根が介在し、アームとシャッタ羽根との連結部の近傍に他のシャッタ羽根の外周縁部が位置する状態であっても、肉薄部の存在によってアームとシャッタ羽根とによって強く挟み込まれる事態を生じることがなく、各シャッタ羽根が広げられるときには円滑に起動し、開放シャッタ羽根群と閉鎖シャッタ羽根群とがが均一な加速度で走行する。したがって、露出精度が低下することがなく、鮮明な像の写し込みが達成できる。
【図面の簡単な説明】
【図１】本発明の一実施例を示す分解斜視図である。
【図２】（ａ）は開放シャッタ羽根群のセット時の状態の正面図、（ｂ）は閉鎖シャッタ羽根群のセット時の状態の正面図である。
【図３】閉鎖シャッタ羽根群の一部のセット時の状態の正面図である。
【図４】図３の一部の拡大正面図である。
【図５】シャッタ羽根の一部の拡大正面図である。
【図６】図４の一部の拡大断面図である。
【図７】従来例における図６と同一個所での拡大断面図である。
【符号の説明】
１                基板
１ａ            シャッタ開口
１２            開放シャッタ羽根群
１３            アーム
１６            閉鎖シャッタ羽根群
１６ａ    他のシャッタ羽根
１６ａ１      肉薄部
１６ｂ    特定のシャッタ羽根
１７            アーム
１７ｂ    特定のアーム
【図１】
0003562903.tif 000002
【図２】
0003562903.tif 000003
【図３】
0003562903.tif 000004
【図４】
0003562903.tif 000005
【図５】
0003562903.tif 000006
【図６】
0003562903.tif 000007
【図７】
0003562903.tif 000008